(57)【要約】【課題】飲料容器に突き刺すのが容易で、且つ、飲料容器の底の飲料を飲み残し無く、吸って飲むことのできる多段式突き刺しストローを提供する。【解決手段】外筒の内側にひとつ以上の内筒が、スライド可能に挿入されている多段式突き刺し用ストローであって、外筒の下端部が長手方向に対して鋭角な突き刺し部となっている。更には、外筒と内筒にそれぞれ設けられた、内方または外方に凸のリング状の突起が嵌合するロック機構によって、外筒が内筒の上端部より飛び出した位置で固定される。【選択図】図１
2012223389.tif 000002
【特許請求の範囲】
【請求項１】
外筒の内側にひとつ以上の内筒が、スライド可能に挿入されている多段式突き刺し用ストローであって、前記外筒の下端部が長手方向に対して鋭角な突き刺し部となっていることを特徴とする多段式突き刺し用ストロー。
【請求項２】
前記外筒が前記内筒の上端部より飛び出した位置で固定するロック構造を有することを特徴とする請求項１に記載の多段式突き刺し用ストロー。
【請求項３】
前記ロック構造が前記外筒と前記内筒にそれぞれ設けられた、内方または外方に凸のリング状の突起が嵌合する機構であることを特徴とする請求項２に記載の多段式突き刺し用ストロー。
【発明の詳細な説明】
【技術分野】
【０００１】
本発明は、飲料容器に突き刺して、容器内の飲料を飲むのに用いられる突き刺し用多段式ストローに関するものである。
【背景技術】
【０００２】
従来から、ジュースやコーヒーあるいは乳飲料などが、一人前サイズの小型の煉瓦形や円筒形、円錐形、逆円錐形の液体紙容器やプラスチック容器などの飲料容器に収納されて販売されている。
【０００３】
これらの容器には多段式突き刺し用ストローが容器の側面などに袋等に入れて添付されているものがある。そして、このストローを袋などから取り出して、飲料容器の上部に設けられたストロー突き刺し位置に突き刺して、ストローで飲料を吸って飲めるようになっている。
【０００４】
飲料容器のストロー突き刺し位置は、例えば、飲料容器が液体紙容器であれば、紙基材に内層のシーラント層が設けられていて、半切れ加工により、シーラント層を残して紙基材にのみ孔が設けられていて、その上から封止用のタブが貼られて、タブを剥がすと、シーラント層を残して、紙基材がタブと一緒に剥がれるなど、飲料容器の他の部分より、弱くて突き刺しやすいようになっている。
【０００５】
このように、突き刺しやすくなっているストロー突き刺し位置であっても、多段式突き刺し用ストローの先端は、突き刺しやすい形状になっている必要がある。また、飲料容器に添付するため、飲料容器の面より短くなっていることも要求される。
【０００６】
そのため、多段式突き刺し用ストローは、外筒と内筒がスライド自在に一体化され、内筒の下端部は、ストロー突き刺し位置に突き刺せるように、鋭角に尖っている。すなわち、内筒の下側の鋭角に尖った先端を飲料容器のストロー突き刺し位置に突き刺して、ストローで飲料を吸って飲むようになっている。
【０００７】
このような多段式突き刺しストローは、内筒の下端部が鋭角に尖っているので、最後まで飲料を吸いだすことが出来ず、飲み残しが出てしまう。
【０００８】
これを解決方法として、突き刺し性を向上させるために最も内側に位置する最内筒に特定の樹脂組成物を用いて、飲み残しを少なくするために、内筒の下端部の鋭角をゆるくして、最も内側に位置する最内筒の先端面が、最内筒の長さ方向に対して４５〜６５度に形成されている多段式ストローがある（特許文献１）。
【０００９】
この多段式突き刺しストローは、図２（Ａ）のように、内筒１と外筒２とからなり、内筒１の下端部に突き刺し部１０が設けられている。外筒２の両端には、第１の絞り部６と第２の絞り部７が形成され、これら絞り部６、７の間の先端側には第３の絞り部８が形成されている。
【００１０】
また、内筒１の上端部にはストッパ部９が形成されている。これによって、この多段式突き刺しストローを使用時に引き伸ばしても、図２（Ｂ）のように、ストッパ部９が第１の絞り部３に引っかかって内筒１が外筒２から抜けず、かつ、ストッパ部６が第３の絞り部８に引っかかって、容易に縮まないようになっている。そして、内筒１の下端部に設けられた突き刺し部１０の先端の面は、内筒１の長さ方向に対してθ＝４５〜６５°になる
ように斜めに形成されている。
【００１１】
公知文献を以下に示す。
【先行技術文献】
【特許文献】
【００１２】
【特許文献１】特開２００３−２９００１６号公報
【発明の概要】
【発明が解決しようとする課題】
【００１３】
上記、特許文献１の多段式突き刺しストローにおいて、内筒の先端面７の角度を４５〜６５°としても、飲料容器の底の飲料を飲み残し無く、吸って飲むことは困難であった。また、特定の樹脂組成物を材料として用いる必要があった。
【００１４】
本発明は上記した事情に鑑みてなされたもので、飲料容器に突き刺すのが容易で、且つ、飲料容器の底の飲料を飲み残し無く、吸って飲むことのできる多段式突き刺しストローを提供することを課題としている。
【課題を解決するための手段】
【００１５】
本発明の請求項１に係る発明は、外筒の内側にひとつ以上の内筒が、スライド可能に挿入されている多段式突き刺し用ストローであって、前記外筒の下端部が長手方向に対して鋭角な突き刺し部となっていることを特徴とする多段式突き刺し用ストローである。
【００１６】
本発明の多段式突き刺し用ストローは、以上のような構成であって、外筒の下端部が長手方向に対して鋭角な突き刺し部となっているので、飲料容器に突き刺すときには、内筒の下端部より、外筒の下端部の鋭角な突き刺し部を飛び出させて、鋭角な突き刺し部で飲料容器のストロー突き刺し位置に容易に突き刺すことができる。
【００１７】
また、吸って飲むときには、内筒を外筒の下端部より、先に延ばして、ストロー突き刺し位置から差し込んで飲むことができ、内筒の下端部が、飲料容器の底に当たるようになり、外筒の下端部の鋭角な突き刺し部が当たるのではないので、飲料容器の底が平らなら、内筒の下端部も平らにするなど、飲料容器の底面の形状に合わせて、内筒の下端部の形状を選定することができ、飲料容器の底の飲料を飲み残し無く、吸って飲むことができる。
【００１８】
本発明の請求項２に係る発明は、前記外筒が前記内筒の上端部より飛び出した位置で固定するロック構造を有することを特徴とする請求項１に記載の多段式突き刺し用ストローである。
【００１９】
本発明は、外筒が内筒の上端部より飛び出した位置で固定するロック構造を有しているので、ロック構造で固定すれば、飲料容器の飲料を飲んでいるときに、ストローの長さが短くなったりすることが無く、安心して飲むことができる。
【００２０】
本発明の請求項３に係る発明は、前記ロック構造が前記外筒と前記内筒にそれぞれ設けられた、内方または外方に凸のリング状の突起が嵌合する機構であることを特徴とする請求項２に記載の多段式突き刺し用ストローである。
【００２１】
本発明の請求項３に係る発明は、ロック構造が、外筒と内筒にそれぞれ設けられたリング状の突起が嵌合する機構であるので、簡単に設けることができる。
【発明の効果】
【００２２】
本発明の多段式突き刺しストローは、飲料容器に突き刺すのが容易で、且つ、飲料容器の底の飲料を飲み残し無く、吸って飲むことができる。
【図面の簡単な説明】
【００２３】
【図１】（Ａ）本発明の多段式突き刺しストローの一例の飲料容器に突き刺す時の状態を模式的に示した説明図である。（Ｂ）本発明の多段式突き刺しストローの一例の突き刺す時から飲料を飲む時の中間の状態を模式的に示した説明図である。（Ｃ）本発明の多段式突き刺しストローの一例の飲料を飲む時の状態を模式的に示した説明図である。
【図２】従来の多段式突き刺しストローの一例の飲料容器に突き刺す時の状態を模式的に示した説明図である。（Ｂ）従来の多段式突き刺しストローの一例の飲料を飲む時の状態を模式的に示した説明図である。
【発明を実施するための形態】
【００２４】
以下本発明を実施するための形態につき説明する。
【００２５】
本発明の本発明の多段式突き刺しストローの材質としては、ポリエチレン、ポリプロピレン、ポリスチレン等のポリオレフィン系樹脂、あるいは、その他の熱可塑性樹脂が用いられる。一般的にはポリプロピレン系の樹脂が好ましく用いられている。
【００２６】
図１（Ａ）は、本発明の多段式突き刺しストローの一例の飲料容器に突き刺す時の状態を模式的に示した説明図である。（Ｂ）は、本発明の多段式突き刺しストローの一例の突き刺す時から飲料を飲む時の中間の状態を模式的に示した説明図である。（Ｃ）は、本発明の多段式突き刺しストローの一例の飲料を飲む時の状態を模式的に示した説明図である。
【００２７】
本例の多段式突き刺しストロー１００は、図１のように、内筒１と内筒１より長い外筒２とからなり、外筒２の内側に内筒１が、スライド可能に挿入され、外筒２の下端部には、その長手方向に対して鋭角な突き刺し部３が設けられている。
【００２８】
外筒２の下寄りには、内方に凸のリング状の突起４が設けられている。一方、内筒１の上寄りには、内方に凸のリング状の突起５が設けられている。そして、飲料容器に設けられたストロー突き刺し位置に突き刺すときは、図１（Ａ）のように、内筒１の下端部が、外筒２の突起４に当たる位置にして、外筒２の鋭角な突き刺し部３で飲料容器に設けられたストロー突き刺し位置に突き刺して飲料容器のストロー突き刺し位置を開孔させる。
【００２９】
このとき、外筒２を指で持って、突き刺すが指で持った外筒２の内側に内筒１が重なっているので、折れ曲がりにくく、持ちやすく、突き刺しやすい。
【００３０】
次に、外筒２の上端部より突き出ている内筒１の上部を、外筒２の中に押し込むと、図１（Ｂ）のようになり、内筒１の下部が外筒２の下端部より突き出てくるので、図１（Ｃ）のように、内筒１の下部を外筒２の下端部より引き出して、外筒２の突起４を、内筒１の突起５に嵌合させる。このロック構造により、外筒２が内筒１の上端部より飛び出した位置で固定される。
【００３１】
このロック構造で固定された多段式突き刺しストロー１００を、外筒２の鋭角な突き刺し部３で開孔した飲料容器のストロー突き刺し位置に差し込んで、飲料容器の中の飲料を飲むことができる。このとき、飲料容器に挿し込んだ多段式突き刺しストロー１００の先端は内筒１の下端部になり、この下端部は平らであるので、飲料容器の平らな底に沿って当てることができ、飲料容器の底の飲料を飲み残し無く、吸って飲むことができる。
【００３２】
また、ロック構造によって内筒１と外筒２は固定されているので、飲料容器の飲料を飲んでいるときに、ストローの長さが短くなったりすることが無く、安心して飲むことができる。
【００３３】
本例においては、飲料容器の底が平らであることを想定して、内筒１の下端部を平ら（長手方向に対して略直角）としたが、これに限らず飲料容器の形状や飲み方によって、内筒１の下端部の形状を変えてもよい。
【００３４】
また、本例においては、外筒２と内筒１がそれぞれ1本としたが、内筒１を２本以上としてもよい。その場合、各内筒どうしにも、ロック機構を設けることが好ましい。
【符号の説明】
【００３５】
１００・・・多段式突き刺しストロー
１・・・内筒
２・・・外筒
３、１０・・・突き刺し部
４、５・・・突起
６、７、８・・・絞り部
９・・・ストッパ部
【図１】
2012223389.tif 000003
【図２】
2012223389.tif 000004